(57)【特許請求の範囲】
【請求項１】
第１の光学系を保持すると共に、内周面から突出可能な調節部材を備えた回転筒と、
第２の光学系を保持すると共に、前記調節部材が係合する螺旋溝を外周面に備えた固定筒と、を有するレンズ鏡筒であって、
前記調節部材は、前記螺旋溝に対し、第１の位置と第２の位置をとることができ、前記第１の位置又は前記第２の位置のいずれの位置においても前記調節部材の一部は前記螺旋溝内に入っており、
前記螺旋溝は底面と側面とを有し、前記調節部材は、前記底面に対向する先端と、前記側面に対向する周面とを有し、
前記調節部材が前記第１の位置にあるときに、前記調節部材は前記周面が前記螺旋溝の前記側面に相対移動可能に当接し前記螺旋溝に沿って摺動可能であることにより前記固定筒に対して前記回転筒が相対螺旋回動し、
前記調節部材が前記第２の位置にあるときに、前記調節部材は前記先端が前記螺旋溝の前記底面に相対移動不能に当接することにより前記固定筒に対する前記回転筒の回動が阻止されることを特徴とするレンズ鏡筒。
【請求項２】
前記螺旋溝の側面がテーパ状になっており、前記調節部材の周面が前記テーパ状の側面に対応してテーパ状になっている請求項１に記載のレンズ鏡筒。
【請求項３】
前記調節部材の先端には、環状の隆起部が形成されている請求項１又は２に記載のレンズ鏡筒。
【請求項４】
第１の光学系を保持すると共に、内周面から突出可能な調節部材を備えた回転筒と、
第２の光学系を保持すると共に、前記調節部材が係合する螺旋溝を外周面に備えた固定筒と、を有するレンズ鏡筒であって、
前記調節部材は、前記螺旋溝に対し、第１の位置と第２の位置をとることができ、前記第１の位置又は前記第２の位置のいずれの位置においても前記調節部材の一部は前記螺旋溝内に入っており、
前記螺旋溝は、前記螺旋溝に沿って延在する小溝を備えた底面と、側面とを有し、前記調節部材は、前記小溝に対向し前記小溝の幅よりも大きな突起を形成した先端と、前記側面に対向する周面とを有し、
前記調節部材が前記第１の位置にあるときに、前記調節部材は前記周面が前記螺旋溝の前記側面に相対移動可能に当接し前記螺旋溝に沿って摺動可能であることにより前記固定筒に対して前記回転筒が相対螺旋回動し、
前記調節部材が前記第２の位置にあるときに、前記調節部材は前記突起が前記螺旋溝の前記小溝に嵌入して前記固定筒と前記回転筒とを相対移動不能に固定することにより前記固定筒に対する前記回転筒の回動が阻止されることを特徴とするレンズ鏡筒。
【請求項５】
第１の光学系を保持すると共に、内周面から突出可能な調節部材を備えた回転筒と、
第２の光学系を保持すると共に、前記調節部材が係合する螺旋溝を外周面に備えた固定筒と、を有するレンズ鏡筒であって、
前記調節部材は、前記螺旋溝に対し、第１の位置と第２の位置をとることができ、前記第１の位置又は前記第２の位置のいずれの位置においても前記調節部材の一部は前記螺旋溝内に入っており、
前記固定筒は、前記螺旋溝の側面より外側へ延在する一対の側壁を有し、前記調節部材は、前記側面に対向する小径部と、前記側面の間隔よりも大径の大径部とを有し、
前記調節部材が前記第１の位置にあるときに、前記調節部材は前記小径部が前記螺旋溝の前記側面に相対移動可能に当接し前記螺旋溝に沿って摺動可能であることにより前記固定筒に対して前記回転筒が相対螺旋回動し、
前記調節部材が前記第２の位置にあるときに、前記調節部材は前記大径部が前記固定筒の前記側壁に相対移動不能に当接することにより前記固定筒に対する前記回転筒の回動が阻止されることを特徴とするレンズ鏡筒。
【請求項６】
前記回転筒は貫通孔を有し、前記調節部材は前記貫通孔に挿入された円筒状部材である請求項１〜５のいずれかに記載のレンズ鏡筒。
【請求項７】
前記貫通孔は雌ねじを有し、前記調節部材は前記雌ねじに螺合する雄ねじを有し、前記調節部材を前記貫通孔に対して回転させることで、前記第１の位置から前記第２の位置へと変位するようになっている請求項１〜６のいずれかに記載のレンズ鏡筒。
【請求項８】
前記第１の位置における、前記調節部材と前記螺旋溝との押圧力は、前記第２の位置における、前記調節部材と前記螺旋溝との押圧力よりも小さい請求項１〜７のいずれかに記載のレンズ鏡筒。
【請求項９】
前記調節部材と前記固定筒との間には、前記調節部材が前記第２の位置へと変位する際に所定の抵抗を付与する抵抗手段が形成されている請求項１〜８のいずれかに記載のレンズ鏡筒。
【請求項１０】
前記抵抗手段はＯ−リングである請求項９に記載のレンズ鏡筒。
【請求項１１】
前記第１および第２の光学系を介して被写体を観察する際に前記被写体の倍率変更が可能な操作環を備える請求項１〜１０のいずれかに記載のレンズ鏡筒。
【請求項１２】
請求項１〜１１のいずれかに記載のレンズ鏡筒を有することを特徴とするルーペ。
【発明の詳細な説明】
【技術分野】
【０００１】
本発明は、レンズ鏡筒に関し、特に複数の光学系を保持するレンズ鏡筒及びそれを用いたルーペに関する。
【背景技術】
【０００２】
例えば医療分野において、外科医師や歯科医師（医師等)が、自ら手術を行う患部を拡大するために装着する眼鏡型のルーペが知られている。ところで、装着したルーペから患部としての被写体までの距離(ワーキングディスタンス)には個人差があるので、使用する医師等に好適なワーキングディスタンスで焦点が合うようにルーペの調整を行う必要がある。このようなワーキングディスタンスを調整できるルーペが、特許文献１に開示されている。【０００３】
特許文献１における具体的なワーキングディスタンスの調整手法について説明すると、対物レンズを保持する回転筒を、接眼レンズを含むその他のレンズを保持する固定筒に対して光軸回りに螺合させるようにしており、固定筒に対する回転筒の位相角度に応じて、対物レンズと、その他のレンズとの軸間距離を変更し、これによりワーキングディスタンスの調整を行うようにしている。
【先行技術文献】
【特許文献】
【０００４】
【特許文献１】米国特許第６７０４１４２号明細書
【発明の概要】
【発明が解決しようとする課題】
【０００５】
ところで、ルーペのワーキングディスタンスは、医師等に固有のものであるので、一旦調整が決まれば、その後において殆ど変更されることがないから、調整後に接着或いは固定部材等を用いて回転筒と固定筒とを固定することが一般的に行われている。しかるに、回転筒と固定筒とを接着する手法では、万が一ワーキングディスタンスを誤って調整した場合、回転筒と固定筒とを分離できなくなり、これらを廃却しなくてはならず歩留まりが悪い。一方、回転筒と固定筒とを外部から固定するような別体の固定部材を用いて回転筒と固定筒とを固定する手法では、部品点数が増加するほか、回転筒及び固定筒に固定部材を取り付けるスペースを設ける必要が生じ、更には固定部材を取り付けたことによりルーペの大型化や重量の増大を招き好ましくない。【０００６】
本発明は、上述の課題を解決することを目的としたものであり、軽量且つ簡素で小型の構成でありながら、ワーキングディスタンスを任意に調整できるレンズ鏡筒及びそれを用いたルーペを提供することを目的とする。
【課題を解決するための手段】
【０００７】
上述した目的のうち少なくとも一つを実現するために、本発明の一側面を反映したレンズ鏡筒は、
第１の光学系を保持すると共に、内周面から突出可能な調節部材を備えた回転筒と、
第２の光学系を保持すると共に、前記調節部材が係合する螺旋溝を外周面に備えた固定筒と、を有するレンズ鏡筒であって、
前記調節部材は、前記螺旋溝に対し、第１の位置と第２の位置をとることができ、前記第１の位置又は前記第２の位置のいずれの位置においても前記調節部材の一部は前記螺旋溝内に入っており、
前記螺旋溝は底面と側面とを有し、前記調節部材は、前記底面に対向する先端と、前記側面に対向する周面とを有し、
前記調節部材が前記第１の位置にあるときに、前記調節部材は前記周面が前記螺旋溝の前記側面に相対移動可能に当接し前記螺旋溝に沿って摺動可能であることにより前記固定筒に対して前記回転筒が相対螺旋回動し、
前記調節部材が前記第２の位置にあるときに、前記調節部材は前記先端が前記螺旋溝の前記底面に相対移動不能に当接することにより前記固定筒に対する前記回転筒の回動が阻止されることを特徴とする。
【０００８】
本レンズ鏡筒によれば、前記調節部材が前記第１の位置にあるときに、前記調節部材と前記螺旋溝とは摺動可能であるため、前記調節部材を介して前記螺旋溝に案内されつつ前記固定筒に対して前記回転筒が相対螺旋回動するようになるから、それに応じて前記第１の光学系と前記第２の光学系との軸間距離が精度良く変化するので、所望のワーキングディスタンスを容易に設定できる。又、前記調節部材が前記第２の位置にあるときに、前記螺旋溝に対して前記調節部材が固定され、それにより前記固定筒に対する前記回転筒の回動が阻止されるようになっているので、ワーキングディスタンスの設定後において、接着剤や別体の固定部材を用いることなく、前記回転筒を前記固定筒に対して容易に固定できる。更に、万が一ワーキングディスタンスの再設定が必要な場合には、前記調節部材が前記第１の位置に戻すことで、前記固定筒に対して前記回転筒を相対螺旋回動させることができるようになる。【０００９】
上述した目的のうち少なくとも一つを実現するために、本発明の一側面を反映した別のレンズ鏡筒は、
第１の光学系を保持すると共に、内周面から突出可能な調節部材を備えた回転筒と、
第２の光学系を保持すると共に、前記調節部材が係合する螺旋溝を外周面に備えた固定筒と、を有するレンズ鏡筒であって、
前記調節部材は、前記螺旋溝に対し、第１の位置と第２の位置をとることができ、前記第１の位置又は前記第２の位置のいずれの位置においても前記調節部材の一部は前記螺旋溝内に入っており、
前記螺旋溝は、前記螺旋溝に沿って延在する小溝を備えた底面と、側面とを有し、前記調節部材は、前記小溝に対向し前記小溝の幅よりも大きな突起を形成した先端と、前記側面に対向する周面とを有し、
前記調節部材が前記第１の位置にあるときに、前記調節部材は前記周面が前記螺旋溝の前記側面に相対移動可能に当接し前記螺旋溝に沿って摺動可能であることにより前記固定筒に対して前記回転筒が相対螺旋回動し、
前記調節部材が前記第２の位置にあるときに、前記調節部材は前記突起が前記螺旋溝の前記小溝に嵌入して前記固定筒と前記回転筒とを相対移動不能に固定することにより前記固定筒に対する前記回転筒の回動が阻止されることを特徴とする。
上述した目的のうち少なくとも一つを実現するために、本発明の一側面を反映したさらに別のレンズ鏡筒は、
第１の光学系を保持すると共に、内周面から突出可能な調節部材を備えた回転筒と、
第２の光学系を保持すると共に、前記調節部材が係合する螺旋溝を外周面に備えた固定筒と、を有するレンズ鏡筒であって、
前記調節部材は、前記螺旋溝に対し、第１の位置と第２の位置をとることができ、前記第１の位置又は前記第２の位置のいずれの位置においても前記調節部材の一部は前記螺旋溝内に入っており、
前記固定筒は、前記螺旋溝の側面より外側へ延在する一対の側壁を有し、前記調節部材は、前記側面に対向する小径部と、前記側面の間隔よりも大径の大径部とを有し、
前記調節部材が前記第１の位置にあるときに、前記調節部材は前記小径部が前記螺旋溝の前記側面に相対移動可能に当接し前記螺旋溝に沿って摺動可能であることにより前記固定筒に対して前記回転筒が相対螺旋回動し、
前記調節部材が前記第２の位置にあるときに、前記調節部材は前記大径部が前記固定筒の前記側壁に相対移動不能に当接することにより前記固定筒に対する前記回転筒の回動が阻止されることを特徴とする。
本ルーペは、上述のレンズ鏡筒を有することを特徴とする。
【発明の効果】
【００１０】
本発明によれば、軽量且つ簡素で小型の構成でありながら、ワーキングディスタンスを任意に調整できるレンズ鏡筒及びそれを用いたルーペを提供することができる。
【図面の簡単な説明】
【００１１】
【図１】本実施形態に係るレンズ鏡筒を備えたルーペを取り付けた眼鏡の外観斜視図である。
【図２】本実施形態にかかるルーペ１００を分解した状態で示す斜視図である。
【図３】第１の実施形態にかかるルーペ１００の光軸方向断面図である。
【図４】第１の実施形態にかかるルーペ１００の光軸方向断面図である。
【図５】（ａ）〜（ｃ）は、回転筒１１０及びプリズム保持筒１２２における貫通孔１１０ｄ近傍の断面図である。
【図６】本実施形態の変形例にかかる図５(ｂ)と同様な断面図である。
【図７】本実施形態の別な変形例にかかる図５(ｂ)と同様な断面図である。
【図８】（ａ）〜（ｃ）は、第２の実施形態にかかる、回転筒１１０及びプリズム保持筒１２２における貫通孔１１０ｄ近傍の断面図である。
【図９】（ａ）〜（ｃ）は、第３の実施形態にかかる、回転筒１１０及びプリズム保持筒１２２における貫通孔１１０ｄ近傍の断面図である。
【発明を実施するための形態】
【００１２】
以下、本発明の実施形態を、図面を参照して説明する。図１は、本実施形態に係るレンズ鏡筒を備えたルーペを取り付けた眼鏡の外観斜視図である。
【００１３】
図１に示す様に、２つのルーペ１００が、眼鏡ＧＬのレンズＬＳにそれぞれ取り付けられている。手術の際に、医師等が、眼鏡ＧＬを自分の顔に装着したときに、ルーペ１００が瞳の前方に位置するようになり、これにより患部を拡大して観察することが可能になる。尚、２つのルーペ１００は同一の構成であるので、以下、１つのルーペ１００についてのみ説明を行う。
【００１４】
図２は、本実施形態にかかるルーペ１００を分解した状態で示す斜視図である。図２に示すように、ルーペ１００は、回転筒１１０と、固定ユニット(固定筒)１２０とを有している。回転筒１１０には、調節部材１４０が取り付けられるようになっている。
【００１５】
図３、４は、第１の実施形態にかかるルーペ１００の光軸方向断面図であるが、断面は互いに直交している。図３，４において、薄肉金属製の回転筒１１０は、大円筒部１１０ａと、これに内包される小円筒部１１０ｂと、大円筒部１１０ａと小円筒部１１０ｂの端部同士を連結するテーパ部１１０ｃとから一体的に形成されている。小円筒部１１０ｂ内には、第１レンズ群Ｇ１を構成するレンズＬ１，Ｌ２が配置され、環状の固定部材１１１により小円筒部１１０ｂに対して固定されている。尚、最も被写体側のレンズＬ１の周囲にはＯ−リングＯＲが配置され、小円筒部１１０ｂとの間を防塵・防水可能に密封している。
【００１６】
図４に示すように、大円筒部１１０ａには、対向する２カ所に貫通孔１１０ｄが形成されている。貫通孔１１０ｄは内周に雌ねじを有している。調節部材１４０は、外周に雄ねじを有し、両ねじを螺合させることで、調節部材１４０が回転筒１１０に取り付けられる。
【００１７】
固定ユニット１２０は、主固定筒１２１と、主固定筒１２１の被写体側に連結されたプリズム保持筒１２２と、主固定筒１２１の内側に配置されたカム筒１２３と、主固定筒１２１の内側に配置された操作環１２４とを有する。
【００１８】
略円筒状のプリズム保持筒１２２は、正立像を確保する為のケプラータイプのプリズムＰＲと、レンズＬ３とを保持する保持枠１２５を，ボルトＢＴ(図３)により内側に固定している。プリズムＰＲとレンズＬ３とで、第２レンズ群Ｇ２を構成する。プリズム保持筒１２２の外周には、螺旋溝１２２ａが形成されており、調節部材１４０の先端が当接している。図示していないが、調節部材１４０の頂面には、ドライバーなどの工具を係合できる凹部が形成されている。調節部材１４０と螺旋溝１２２ａとの関係については、後述する。
【００１９】
カム筒１２３の内側には、第３レンズ群Ｇ３であるレンズＬ４を保持した保持枠１２６と、第４レンズ群Ｇ４であるレンズＬ５を保持した保持枠１２７とが光軸方向に変位可能に配置されている。又、カム筒１２３は、周方向に延在する２つのカム溝１２３ａ、１２３ｂを有すると共に、カム溝１２３ａに沿って所定間隔で円形開口１２３ｃを有している。
【００２０】
保持枠１２６の外周に形成された３つ(１つのみ図示)のねじ孔１２６ａに、フランジ付きの円筒軸１２８ａを持つねじ１２８の端部がそれぞれねじ込まれており、円筒軸１２８ａに回転可能に嵌合したローラ１３０が、カム筒１２３のカム溝１２３ａに嵌め込まれ、カム溝１２３ａに沿って転動可能となっている。
【００２１】
更に、保持枠１２６の１つのねじ孔１２６ａに隣接して、袋孔１２６ｂが設けられており、袋孔１２６ｂ内にはコイルバネＣＳ及びボールＢＬが配置され、コイルバネＣＳの付勢力によりボールＢＬを半径方向外方に向かって付勢している。円形開口１２３ｃの位置は、相対回動するボールＢＬの位置に対応している。
【００２２】
又、保持枠１２７の外周に形成された３つ(１つのみ図示)のねじ孔１２７ａに、フランジ付きの円筒軸１２９ａを持つねじ１２９の端部がねじ込まれており、円筒軸１２９ａに回転可能に嵌合したローラ１３１が、カム筒１２３のカム溝１２３ｂに嵌め込まれ、カム溝１２３ｂに沿って転動可能となっている。
【００２３】
主固定筒１２１は、大円筒部１２１ａと小円筒部１２１ｂとを直接に連結した形状を有する。プリズム保持筒１２２に端部を連結した大円筒部１２１ａの内側には、軸線方向に延在する直進溝１２１ｃ(図３)が形成されており、ここにねじ１２８，１２９の頭部及びローラ１３０，１３１が相対移動可能に係合している。これにより、保持枠１２６，１２７は直進溝１２１ｃに沿ってのみ変位可能(すなわち回動不能)となる。
【００２４】
大円筒部１２１ａの内側にカム筒１２３が相対回転可能に配置されており、大円筒部１２１ａの外側に操作環１２４が相対回転可能に配置されている。図４において、操作環１２４の中央には、開口１２４ａが形成されており、開口１２４ａに挿通された段付きねじ１３５が、大円筒部１２１ａに形成された周方向溝１２１ｄを貫通して、カム筒１２３の外周に螺合すると同時に太軸部を当接させている。これにより操作環１２４とカム筒１２３は、所定間隔を維持しつつ一体的に回転するようになっている。但し、カム筒１２３の端部において半径方向外方に向いた環状部１２３ｄが、大円筒部１２１ａの端部に形成された環状凹部１２１ｅと、プリズム保持筒１２２の端部間に形成された環状空間に収容されることで、カム筒１２３及び操作環１２４は、主固定筒１２１に対して光軸方向に変位不能となっている。大円筒部１２１ａ及び操作環１２４の端部外周は、回転筒１１０の大円筒部１１０ａの端部により包囲されている。
【００２５】
尚、段付きねじ１３５と開口１２４ａとの間にはＯ−リングＯＲが配置され、また回転筒１１０と大円筒部１２１ａとの間、並びに大円筒部１２１ａと操作環１２４の両端同士の間には、Ｏ−リングＯＲが配置され、これらの間を防塵・防水可能に密封している。更に図２に示すように、操作環１２４の外周には、操作時の滑り止めとして周期的凹凸形状の平目ローレット１２４ｂが形成されている。
【００２６】
主固定筒１２１の小円筒部１２１ｂ内には、第５レンズ群Ｇ５を構成するレンズＬ６，Ｌ７，Ｌ８が、環状の固定部材１３２，１３３を介して固定されている。又、小円筒部１２１ｂ内には、第５レンズ群Ｇ５に隣接して接眼レンズＯＣが、環状の固定部材１３４により固定されている。尚、小円筒部１２１ｂと接眼レンズＯＣとの間にはＯ−リングＯＲが配置され、防塵・防水可能に密封している。尚、第１のレンズ群Ｇ１を第１の光学系とし、レンズ群Ｇ２〜Ｇ５を第２の光学系とする。
【００２７】
図５は、回転筒１１０及びプリズム保持筒１２２における貫通孔１１０ｄ近傍の断面図であり、調節部材１４０と共に示している。分解した状態で示す図５(ａ)において、調節部材１４０は、第１円筒部１４０ａと、それより小径の第２円筒部１４０ｂとを直列に連結した構成を有する。第１円筒部１４０ａの外周には、雄ねじ１４０ｃが形成されている。一方、先端側である第２円筒部１４０ｂの端部は、先端に行くにつれて縮径する外側テーパ面１４０ｄと、先端に行くにつれて拡径する内側テーパ面１４０ｅとを形成している。すなわち、第２円筒部１４０ｂの端部は尖った環状部１４０ｆを有する。一方、貫通孔１１０ｄの内周には雌ねじ１１０ｅが形成されている。
【００２８】
プリズム保持筒１２２の螺旋溝１２２ａは、底面１２２ｂと、一対の側面１２２ｃ、１２２ｄとを有する。底面１２２ｂに対して側面１２２ｃ、１２２は直交している。第２円筒部１４０ｂの外径は、側面１２２ｃ、１２２ｄの間隔とほぼ等しくなっている。
【００２９】
次に、ルーペ１００の調整時の動作について説明する。図２において、回転筒１１０の大円筒部１１０ａを固定ユニット１２０内に光軸方向に沿って（例えば直線的に）挿入すると、大円筒部１１０ａの内側に盛り出るように形成された肉厚部１１０ｆ（図４）の円筒状内周面がプリズム保持筒１２２の螺旋溝１２２ａの外周面にガタなく嵌合し、これにより回転筒１１０の軸線と固定ユニット１２０の軸線とが一致する。固定ユニット１２０に対して所定位置まで回転筒１１０を挿入した後、回転筒１１０の貫通孔１１０ｄの２つの雌ねじ１１０ｅに、調節部材１４０の雄ねじ１４０ｃをそれぞれ螺合させて組み付ける。但し、ワーキングディスタンス調整前の状態では、組付け位置は図５(ｂ)に示すように、調節部材１４０の第２円筒部１４０ｂがプリズム保持筒１２２の螺旋溝１２２ａ内に進入するが、先端の環状部１４０ｆが１２２ｂに接触しない状態とする。この位置を第１の位置という。かかる状態では、調節部材１４０の第２円筒部１４０ｂの突出量が比較的小さくなる。即ち調節部材１４０と螺旋溝１２２ａとの接触面積が比較的小さくなる。調節部材１４０が第１の位置にあるときに、その第２円筒部１４０ｂの外周が、プリズム保持筒１２２の螺旋溝１２２ａ内に進入し、側面１２２ｃ、１２２ｄと相対摺動可能に当接するようになるが、調節部材１４０の先端は底面１２２ｂに当接しない。よって、調節部材１４０は側面１２２ｃ、１２２ｄに沿って案内されることとなる。なお、図５(ｂ)では、調節部材１４０の頂面が回転筒１１０の外周面と面一になっている。また、第１の位置において、第２円筒部１４０ｂが螺旋溝１２２ａの内部に進入していれば、第２円筒部１４０ｂの外周が、螺旋溝１２２ａの側面１２２ｃ、１２２ｄと当接していない場合には調整時の抵抗が少なくなりスムーズな調整が可能となるが、図５（ｂ）に示されるように、第２円筒部１４０ｂの外周が、螺旋溝１２２ａの側面１２２ｃ、１２２ｄと当接していれば、ガタツキなくルーペの調節をできるため好ましい。
【００３０】
調節部材１４０を第１の位置に保持した状態で、固定ユニット１２０に対して回転筒１１０を相対螺動回転させることより、固定ユニット１２０に対する回転筒１１０の繰り出し量を調整することができ、これによりレンズ群Ｇ１と、レンズ群Ｇ２〜Ｇ５との軸間距離が変化するため所望のワーキングディスタンスを設定できる。所望のワーキングディスタンスが設定されたときは、不図示の工具により、図５(ｃ)に示すように、調節部材１４０を更に追い込むようにねじ込む。これにより、調節部材１４０の先端の尖った環状部１４０ｆが、螺旋溝１２２ａの底面１２２ｂに当接して食い込むこととなる。この位置を第２の位置という。これにより第１の位置における調節部材１４０と螺旋溝１２２ａとの間に作用する押圧力(摩擦力)よりも、第２の位置における調節部材１４０と螺旋溝１２２ａとの間に作用する押圧力(摩擦力)の方が大きくなるので、回転筒１１０を、固定ユニット１２０に対して確実に固定できる。尚、調節部材１４０の先端中央を尖らせることもできるが、かかる構成では、第２の位置での食い込み量が小さい場合に固定力が不足し、回転筒１１０の回転を許容してしまう恐れがあり、又その際に尖った先端を引きずることで螺旋溝１２２ａの底面１２２ｂにキズをつける恐れがある。これに対し、環状部１４０ｆによれば、そのような恐れがないので好ましい。また、回転筒と固定筒とは片方が他方に対して相対的に回転することを意味し、例えば固定される筒に調節部材を設け、回転する筒に螺旋溝を設けてもよい。
【００３１】
ワーキングディスタンスを再設定する場合、不図示の工具を用いて調節部材１４０を逆方向に回転させ、第１の位置に戻すことで、固定ユニット１２０に対して回転筒１１０を相対螺旋回動させることができる。
【００３２】
使用者が眼鏡ＧＬを装着することで、ルーペ１００内のレンズ群Ｇ１〜Ｇ５を介して被写体を拡大して観察できる。一方、使用者が被写体の倍率を変えたいときは、操作環１２４を回転させることで、カム筒１２３が回転する。これにより、ねじ１２８，１２９はカム溝１２３ａ、１２３ｂより同方向に回転するトルクを受けるが、それぞれ直進溝１２１ｃに回転を阻止されているので、カム溝１２３ｂ、１２３ｃに沿って相対移動しながら、保持枠１２６を光軸方向一方向に変位させ、且つ保持枠１２７を光軸方向他方向に変位させることとなり、これにより第３レンズ群Ｇ３と第４レンズ群Ｇ４との間隔を変化させて倍率変更を行うことができる。このとき、ボールＢＬが、カム筒１２３の円形開口１２３ｃのいずれかに係合する度に、操作環１２４を操作するユーザーの指に抵抗が付与され、いわゆるクリック感を与えることで、倍率変化の度合いを感覚的に認識できる。
【００３３】
図６は、本実施形態の変形例にかかる図５(ｂ)と同様な断面図である。図７の変形例において、上述した実施形態と異なる点は、調節部材１４０の第２円筒部１４０ｂの第１円筒部１４０ａ側の端部周囲に，抵抗手段としてのＯ−リングＯＲを配置したことである。図６に示す第１の位置では、Ｏ−リングＯＲが第１円筒部１４０ａに軽く接触した程度である。かかる状態から、調節部材１４０をねじ込んでゆくと、第１円筒部１４０ａと、螺旋溝１２２ａ周囲のプリズム保持筒１２２の外周面との間でＯ−リングＯＲが押しつぶされて変形し、所定の抵抗を付与することとなる。つまり、作業者が不図示の工具を用いて調節部材１４０をねじ込んでいったとき、工具を介して所定の抵抗を感じ取ることで、第２の位置に接近したことを把握できるのである。Ｏ−リングの代わりに皿バネ等を用いることもできる。
【００３４】
図７は、本実施形態の別な変形例にかかる図５(ｂ)と同様な断面図である。図７の変形例において、上述した実施形態と異なる点は、螺旋溝１２２ａの側面１２２ｃ、１２２ｄを底面１２２ｂに対して傾け、すなわち底面１２２ｂから離れるにつれて側面１２２ｃ、１２２ｄの間隔が開く斜面としている。又、調節部材１４０の第２円筒部１４０ｂを、側面１２２ｃ、１２２ｄに対応した円錐テーパ面としている。これにより、調整時における調節部材１４０の動きがカムピンのようにスムーズになる。又、例えばプリズム保持筒１２２を、樹脂を用いて金型から射出成形することにより形成する場合、螺旋溝の離型性が高まるので好ましい。以上の変形例でも第１の位置では、上述した実施形態と同様に、調節部材１４０の第２円筒部１４０ｂの外周が、側面１２２ｃ、１２２ｄに当接して相対摺動可能である。
【００３５】
図８は、第２の実施形態にかかる、回転筒１１０及びプリズム保持筒１２２における貫通孔１１０ｄ近傍の断面図であり、調節部材１４０と共に示している。図８の実施形態において、上述した実施形態と異なる点は、第２円筒部１４０ｂの先端中央に、内側テーパ面を設ける代わりに半球状の突起１４０ｇを形成し、又これに対応して螺旋溝１２２ａの底面１２２ｂの中央に、螺旋溝１２２ａに沿って延在する小溝１２２ｅを形成した点である。小溝１２２ｅの幅は、突起１４０ｇの最大径より小さくなっている。
【００３６】
図８(ｂ)に示す第１の位置では、上述した実施形態と同様に、調節部材１４０の第２円筒部１４０ｂの外周が、側面１２２ｃ、１２２ｄに当接して相対摺動可能である。このとき、突起１４０ｇは小溝１２２ｅから離れている。一方、図８(ｃ)に示す第２の位置では、調節部材１４０を更に追い込むようにねじ込むことで、突起１４０ｇが小溝１２２ｅに進入(嵌入)し、押し広げるように変形させる。これにより、回転筒１１０を固定ユニット１２０に確実に固定できる。このとき、第２円筒部１４０ｂの突起１４０ｇ周囲の先端平面が、螺旋溝１２２ａの底面１２２ｂに当接することで、それ以上の調節部材１４０の追い込みが回避され、螺旋溝１２２ａの損傷を回避できる。
【００３７】
図９は、第３の実施形態にかかる、回転筒１１０及びプリズム保持筒１２２における貫通孔１１０ｄ近傍の断面図であり、調節部材１４０と共に示している。図９の実施形態において、上述した実施形態と異なる点は、第１の円筒部１４０ａと第２の円筒部１４０ｂとの間に、第３の円筒部１４０ｈを形成している点である。第３の円筒部(大径部とする)１４０ｈの外径は、第１の円筒部１４０ａの外径よりも小さいが、第２の円筒部(小径部とする)１４０ｂの外径よりも大きくなっている。第２の円筒部１４０ｂの先端は平面である。また、プリズム保持筒１２２の外周面には、螺旋溝１２２ａの両側に、一対の側壁１２２ｆ，１２２ｇが形成され、螺旋溝１２２ａに沿って螺旋状に延在している。
【００３８】
図９(ｂ)に示す第１の位置では、上述した実施形態と同様に、調節部材１４０の第２円筒部１４０ｂの外周が、側面１２２ｃ、１２２ｄに当接して相対摺動可能である。このとき、第３の円筒部１４０ｈは側壁１２２ｆ、１２２ｇから離れている。一方、図９(ｃ)に示す第２の位置では、調節部材１４０を更に追い込むようにねじ込むことで、第３の円筒部１４０ｈが側壁１２２ｆ、１２２ｇ間に進入して押圧する。これにより、回転筒１１０を固定ユニット１２０に確実に固定できる。
【００３９】
以下、上記レンズ鏡筒の好ましい態様についてまとめて説明する。
【００４０】
前記回転筒は貫通孔を有し、前記調節部材は前記貫通孔に挿入された円筒状部材であることが好ましい。これにより前記貫通孔に挿入した前記円筒状部材を外部から操作することで、前記第１の位置と前記第２の位置との間を変位させることが可能になる。
【００４１】
また、前記貫通孔は雌ねじを有し、前記調節部材は前記雌ねじに螺合する雄ねじを有し、前記調節部材を前記貫通孔に対して回転させることで、前記第１の位置から前記第２の位置へと変位するようになっていることが好ましい。前記貫通孔の雌ねじに、前記調節部材の雄ねじが螺合していれば、前記調節部材を前記貫通孔に対して回転させることで、前記第１の位置から前記第２の位置へと正確に変位させることができると共に、両ねじ間に作用する強い摩擦力で前記調節部材は前記第２の位置に留まるので，前記固定筒に対して前記回転筒が不用意に相対螺旋回動することを抑制できる。
【００４２】
また、前記調節部材が前記第１の位置にあるときにおける、前記調節部材と前記螺旋溝との押圧力は、前記調節部材が前記第２の位置にあるときにおける、前記調節部材と前記螺旋溝との押圧力よりも小さいことが好ましい。このように前記調節部材と前記螺旋溝との押圧力を変更することで、前記調節部材が前記第１の位置にあるときに、前記調節部材と前記螺旋溝とを摺動可能とし、前記調節部材が前記第２の位置にあるときに、前記螺旋溝に対して前記調節部材が固定されるようにできる。
【００４３】
また、前記螺旋溝は底面と側面とを有し、前記調節部材は、前記底面に対向する先端と、前記側面に対向する周面とを有し、前記調節部材が前記第１の位置にあるときには、前記周面が前記側面に相対移動可能に当接し、前記調節部材が前記第２の位置にあるときには、前記先端が前記底面に相対移動不能に当接することが好ましい。前記調節部材が前記第１の位置にあるときには、前記周面が前記側面に相対移動可能に当接するので、前記螺旋溝がカム溝の機能を有し、前記調節部材がカムフォロワの機能を有することとなり、これにより前記螺旋溝に沿って前記回転筒を精度良く案内できる。一方、前記調節部材が前記第２の位置にあるときには、前記先端が前記底面に相対移動不能に当接するので、前記固定筒に対して前記回転筒を確実に固定できる。
【００４４】
また、前記螺旋溝の側面がテーパ状になっており、前記調節部材の周面が前記テーパ状の側面に対応してテーパ状になっていることが好ましい。これにより、調整時における調節部材の動きがスムーズになる。
【００４５】
また、前記調節部材の先端には、環状の隆起部が形成されていることが好ましい。前記調節部材が前記第２の位置にあるときに、前記環状の隆起部が前記螺旋溝の底面に食い込むことで、前記固定筒に対して前記回転筒を確実に固定できる。尚、前記調節部材の先端中心を尖らせても良い。
【００４６】
また、前記螺旋溝は、前記螺旋溝に沿って延在する小溝を備えた底面と、側面とを有し、前記調節部材は、前記小溝に対向し前記小溝の幅よりも大きな突起を形成した先端と、前記側面に対向する周面とを有し、前記調節部材が前記第１の位置にあるときには、前記周面が前記側面に相対移動可能に当接し、前記調節部材が前記第２の位置にあるときには、前記突起が前記小溝に嵌入して両者を相対移動不能に固定することが好ましい。前記調節部材が前記第１の位置にあるときには、前記周面が前記側面に相対移動可能に当接するので、前記螺旋溝がカム溝の機能を有し、前記調節部材がカムフォロワの機能を有することとなり、これにより前記螺旋溝に沿って前記回転筒を精度良く案内できる。一方、前記調節部材が前記第２の位置にあるときには、前記突起が前記小溝に嵌入して両者を相対移動不能に固定するので、前記固定筒に対して前記回転筒を確実に固定できる。
【００４７】
また、前記固定筒は、前記螺旋溝の側面より外側を延在する一対の側壁を有し、前記調節部材は、前記側面に対向する小径部と、前記側面の間隔よりも大径の大径部とを有し、前記調節部材が前記第１の位置にあるときには、前記小径部が前記側面に相対移動可能に当接し、前記調節部材が前記第２の位置にあるときには、前記大径部が前記側壁に相対移動不能に当接することが好ましい。前記調節部材が前記第１の位置にあるときには、前記小径部が前記側面に相対移動可能に当接するので、前記螺旋溝がカム溝の機能を有し、前記調節部材がカムフォロワの機能を有することとなり、これにより前記螺旋溝に沿って前記回転筒を精度良く案内できる。一方、前記調節部材が前記第２の位置にあるときには、前記大径部が前記側壁に相対移動不能に当接するので、前記固定筒に対して前記回転筒を確実に固定できる。
【００４８】
また、前記調節部材と前記固定筒との間には、前記調節部材が前記第２の位置へと変位する際に所定の抵抗を付与する抵抗手段が形成されていることが好ましい。前記調節部材が前記第２の位置へと変位する際に前記抵抗手段が所定の抵抗を付与するので、前記調節部材を操作する場合に、前記調節部材が前記第２の位置に変位したことを作業者が所定の抵抗で認識できるので、締め付け過ぎなどの問題を回避できる。
【００４９】
また、前記抵抗手段はＯ−リングであることが好ましい。Ｏ−リングを用いることで前記抵抗手段を簡素化できる。
【００５０】
また、前記第１および第２の光学系を介して被写体を観察する際に前記被写体の倍率変更が可能な操作環を備えることが好ましい。これにより、使用者が被写体の倍率を変えることができる。
【００５１】
本発明は、本明細書に記載の実施形態に限定されるものではなく、他の実施形態や変形例を含むことは、本明細書に記載された実施形態や技術思想から本分野の当業者にとって明らかである。本明細書の記載及び実施形態は、あくまでも例証を目的としており、本発明の範囲は請求項によって示されている。
【符号の説明】
【００５２】
１００              ルーペ
１１０              回転筒
１１０ａ            大円筒部
１１０ｂ            小円筒部
１１０ｃ            テーパ部
１１０ｄ            貫通孔
１１０ｆ            肉厚部
１１１              固定部材
１２０              固定ユニット
１２１              主固定筒
１２１ａ            大円筒部
１２１ｂ            小円筒部
１２１ｃ            直進溝
１２１ｄ            周方向溝
１２１ｅ            環状凹部
１２２              プリズム保持筒
１２２ａ            螺旋溝
１２２ｂ            底面
１２２ｃ，１２２ｄ  側面
１２２ｅ            小溝
１２２ｆ，１２２ｇ  側壁
１２３              カム筒
１２３ａ            カム溝
１２３ｂ            カム溝
１２３ｃ            円形開口
１２３ｄ            環状部
１２４              操作環
１２４ａ            開口
１２４ｂ            平目ローレット
１２５              保持枠
１２６              保持枠
１２６ａ            孔
１２６ｂ            袋孔
１２７              保持枠
１２７ａ            孔
１２８、１２９      ねじ
１２８ａ            円筒軸
１２９ａ            円筒軸
１３０              ローラ
１３１              ローラ
１３２，１３３      固定部材
１３４              固定部材
１４０              調節部材
１４０ａ            円筒部
１４０ｂ            円筒部
１４０ｄ            外側テーパ面
１４０ｅ            内側テーパ面
１４０ｆ            環状部
１４０ｇ            突起
１４０ｈ            円筒部
ＢＬ                ボール
ＢＴ                ボルト
ＣＳ                コイルバネ
Ｇ１                レンズ群
Ｇ１-Ｇ５          レンズ群
ＧＬ                眼鏡
ＬＳ                レンズ
ＯＣ                接眼レンズ
ＯＲ                リング
ＰＲ                プリズム
【図１】
0006525398.tif 000002
【図２】
0006525398.tif 000003
【図３】
0006525398.tif 000004
【図４】
0006525398.tif 000005
【図５】
0006525398.tif 000006
【図６】
0006525398.tif 000007
【図７】
0006525398.tif 000008
【図８】
0006525398.tif 000009
【図９】
0006525398.tif 000010